(57)【要約】【課題】小型の接続端子であっても確実な防水が可能とする。【解決手段】シール部材は合成ゴムによる一体構造とされ、シール本体１１は略円筒状とされ、内外両面に蛇腹状の防水部１２が形成されている。シール本体１１の上部の一端から帯状の延伸部１３が延出され、この延伸部１３の先端には直方体から成るブロック状の抜止部１４が設けられている。抜止部１４の下部には延伸部１３が連結されている。シール本体１１を接続端子の圧着部から延伸部１３を介して離して配置することにより、圧着部に影響されずに均等な弾発力が得られる。【選択図】図２
2006294417.tif 000002
【特許請求の範囲】
【請求項１】
接続端子に取り付けた電線に装着しハウジングとの間を密封するための略円筒状のシール本体に、延伸部を介して抜止部を取り付けたことを特徴とする接続端子用シール部材。
【請求項２】
前記延伸部は帯状とした請求項１に記載の接続端子用シール部材。
【請求項３】
前記抜止部はブロック状とした請求項１に記載の接続端子用シール部材。
【請求項４】
前記延伸部は前記シール本体と接する部分は略円筒とし、抜止部と接する部分は幅狭とし、徐々に前記円筒から前記幅狭に移行するようにした請求項１に記載の接続端子用シール部材。
【請求項５】
前記抜止部の内面と前記延伸部の内面とを面一とした請求項２又は３に記載の接続端子用シール部材。
【請求項６】
前記延伸部に切込みを形成した請求項１に記載の接続端子用シール部材。
【請求項７】
接続端子に取り付けた電線に装着しハウジングとの間を密封するための合成ゴムから成る略円筒状のシール本体に、延伸部を介してブロック状の抜止部を取り付けたシール部材を電線に挿着し前記接続端子に取り付け、前記ハウジングの入口部に仮着した状態の前記シール本体を前記ハウジング内に押し込むためのリアホルダから成るシール部材の押込機構であって、前記リアホルダは前記ハウジングの後部の両方向から挿入する１対のリアホルダ部材から成り、これらのリアホルダ部材は櫛歯部を有し、これらの櫛歯部の先端同士を嵌合して一体化すると共に、前記シール本体を押込む押込突起を前記櫛歯部に前方を向けて形成したことを特徴とする接続端子用シール部材の押込機構。
【請求項８】
前記リアホルダは前記シール本体を押し込んだ後に、前記ハウジングにロックしてその取り付けを固定した請求項７に記載の接続端子用シール部材の押込機構。
【発明の詳細な説明】
【技術分野】
【０００１】
本発明は、接続端子に付設した電線に装着して、ハウジングとの間を防水する接続端子用シール部材及びその押込機構に関するものである。
【背景技術】
【０００２】
接続端子をコネクタハウジングに収納した場合に、内部に水が浸入しないように特許文献１のように防水処理を施すことが多い。この場合に、例えば図２２に示すように、各接続端子１に接続した電線２ごとに合成ゴムから成る円筒状のシール部材３を接続端子１に圧着して取り付けて防水を行う。なお、接続端子１はハウジング４内の端子収容孔５内に収容し、可撓性係止片６により固定されている。
【０００３】
【特許文献１】特開平２００４−２６５６６１号公報
【発明の開示】
【発明が解決しようとする課題】
【０００４】
しかしながら、近年のように接続端子が小型化するにつれて、接続端子１にシール部材３を圧着により固定すると、シール部材３に部分的に応力が加わり、端子収容孔５の内周に対して均等に弾発力が作用しなくなり、防水性が損われる虞れが多分にある。
【０００５】
また、ハウジングの構造によってハウジング４の端子収容孔５内に段差を設ける場合があり、シール部材３がこの段差部分に位置すると、この防水力の不均等性は更に著しくなる。
【０００６】
そこで、小型の接続端子ではゴム製のシール部材を使用せずに、ブチルゴムなどを充填して防水を行うこともあるが、その処理は極めて厄介であり、特に接続端子の交換などの際に難渋することになる。
【０００７】
本発明の目的は、上述の問題点を解消し、小型の接続端子であっても確実な防水性を発揮できる接続端子用シール部材及びその押込機構を提供することにある。
【課題を解決するための手段】
【０００８】
上記目的を達成するための本発明に係る接続端子用シール部材の技術的特徴は、接続端子に取り付けた電線に装着しハウジングとの間を密封するための合成ゴムから成る略円筒状のシール本体に、延伸部を介して抜止部を取り付けたことにある。
【０００９】
また、本発明に係るシール部材の押込機構の技術的特徴は、接続端子に取り付けた電線に装着しハウジングとの間を密封するための合成ゴムから成る略円筒状のシール本体に、延伸部を介してブロック状の抜止部を取り付けたシール部材を電線に挿着し前記接続端子に取り付け、前記ハウジングの入口部に仮着した状態の前記シール本体を前記ハウジング内に押し込むためのリアホルダから成るシール部材の押込機構であって、前記リアホルダは前記ハウジングの後部の両方向から挿入する１対のリアホルダ部材から成り、これらのリアホルダ部材は櫛歯部を有し、これらの櫛歯部の先端同士を嵌合して一体化すると共に、前記シール本体を押込む押込突起を前記櫛歯部に前方を向けて形成したことにある。
【発明の効果】
【００１０】
本発明に係る接続端子用シール部材及びその押込機構によれば、シール本体を接続端子の圧着部から延伸部を用いて離して配置することにより、シールの方向性が生ずることなく、小型の接続端子であっても確実な防水が可能となる。
【００１１】
また、本発明に係るシール部材の押込機構によれば、ハウジングの後方に２方向から挿入して一体化してから、その押込突起によりシール部材をハウジング内に押し込む。
【発明を実施するための最良の形態】
【００１２】
本発明を図１〜図２１に図示の実施例に基づいて詳細に説明する。
【実施例１】
【００１３】
図１は実施例１のシール部材の平面図を示し、図２は縦断面図、図３は正面図、図４は背面図、図５は図３のＡ−Ａ線に沿った断面図を示している。シール部材は合成ゴムによる一体構造とされ、シール本体１１は後述する端子挿入孔の入口部形状に合わせて稍々縦長の略円筒形とされ、内外両面に蛇腹状の防水部１２が形成されている。
【００１４】
シール本体１１の上部の一端から帯状の延伸部１３が延出され、この延伸部１３の先端には略直方体から成るブロック状の抜止部１４が設けられている。延伸部１３は抜止部１４の下部に連結されており、抜止部１４の内面と延伸部１３の内面は面一とされている。
【００１５】
このシール部材を使用するに当っては、図６に示すように芯線２１を剥き出した電線２２の被覆２３にシール本体１１を挿通し、延伸部１３を被覆２３に沿わせ、抜止部１４を被覆２３の端部上に留める。なお、このシール部材の電線２２への挿着は、芯線２１を被覆２３から剥き出す前に行ってもよい。
【００１６】
この状態において、図７に示すように接続端子３１の接続部３２の後方に設けた圧着部によって電線２２を接続端子３１に接続する。つまり、芯線２１を芯線圧着部３３によってかしめ止めし、同時に被覆圧着部３４によって被覆２３をシール部材の延伸部１３と共にかしめ止めする。これにより、シール部材は電線２２に固定され、シール本体１１が引っ張られても抜止部１４の存在によって外れることはない。なお、被覆２３へのかしめ止めは、抜止部１４の直後の延伸部１３に対して行うことが、延伸部１３の長さを十分に生かすことができて好ましい。
【００１７】
このように、シール部材を電線２２と共に接続端子３１に取り付けた後に、接続端子３１を図８に示すようにハウジング４１の端子収容孔４２に挿着する。なお、この図８においては、２個の接続端子３１を上方の端子収容孔４２に挿入した状態を示している。
【００１８】
コネクタハウジング４１は可撓係止片４３を有するハウジング本体４４と、このハウジング本体４４の前部に嵌合するフロントホルダ４５とから成っている。接続端子３１を収容する端子収容孔４２はハウジング本体４４とフロントホルダ４５を組み合わせてロックすることにより形成され、端子収容孔４２への接続端子３１の入口部４６は、ハウジング本体４４の後部に設けられ、更にその後方には、図９に示すように端子挿通孔４７が設けられている。
【００１９】
ハウジング本体４４とフロントホルダ４５とを組み合わせたコネクタハウジング４１の端子収容孔４２に、ハウジング本体４４の後方から端子挿通孔４７、入口部４６を通し、更に電線２２を持って押し込むことにより、個々に接続端子３１を挿入する。これにより、接続端子３１自体は可撓係止片４３を押し上げ、更に潜り抜けて端子収容孔４２の奥部まで挿入されると、可撓係止片４３が復元することにより接続部３２を係止し後抜けが防止されて固定される。
【００２０】
しかし、シール本体１１は図８に示すように、その大きさからこのまま内部に引き込まれることはなく、延伸部１３により引っ張られながら、入口部４６に若干入り込んだ仮着の状態で留まる。なお、この図８に示すハウジング４１においては、端子収容孔４２と入口部４６のセンタに上下に若干のずれがあり、電線２２及び延伸部１３はこのセンタに沿って曲がっている。
【００２１】
ここで、図１０に示すように２部品から成るリアホルダ４８をハウジング本体４４の後部両側の２方向から挿入する。図１１は２個に分かれたリアホルダの正面図、図１２は平面図、図１３は側面図、図１４、図１５は櫛歯部の突き合わせ面の正面図である。２つのリアホルダ部材４８ａ、４８ｂはそれぞれ櫛歯部を有し、それぞれ櫛歯部を突き合わせて、複数の凸部４９と凹部５０を嵌合することにより一体化させるようになっている。
【００２２】
各リアホルダ部材４８ａ、４８ｂの櫛歯部には、ハウジング本体４４の入口部４６に対応して、前方に向けて２個ずつ押込突起５１が設けられている。リアホルダ部材４８ａ、４８ｂはそれぞれ大きさの異なる接続端子３１に対応するようにされ、リアホルダ部材４８ｂによる接続端子３１はリアホルダ部材４８ａによる接続端子３１よりも大きくされ、図１０に示すリアホルダ４８の断面は、リアホルダ部材４８ｂの断面を示している。
【００２３】
このようにして、両側方から挿入したリアホルダ部材４８ａ、４８ｂ同士を凸部４９、凹部５０を嵌合して一体化する。その後に図１６に示すようにリアホルダ４８を前方に移動させることにより、各シール本体１１は前方を向く上下２個所の押込突起５１によって入口部４６の内部に押し込まれる。これにより、接続端子３１のハウジング４１への挿着が完了し、シール部材は正しく挿着され確実な防水機能が果される。なお、このリアホルダ４８は図１６の状態において、ハウジング本体４４にロックして、そのままハウジング４１に付設して使用することになる。
【００２４】
この状態で接続端子３１は、相手側ハウジングに取り付けられフロントホルダ４５の前方開口部５２から挿入される挿入端子を受け入れる。ハウジング４１の外周には、相手側ハウジングと嵌合した際に相手側ハウジングとの間の防水機能を果す環状シール材５３が設けられている。
【００２５】
なお、上述の組立作業工程は自動機械によりほぼ自動的に行われるので、電線２２を接続端子３１に固定した際に、シール本体１１は延伸部１３により常に被覆２３上の所定位置に位置することになる。特に、シール部材は接続端子３１への圧着後に一旦集積され、次工程まで運搬されることが多く、この運搬過程においても、シール本体１の位置が移動することはなく、自動作業が容易となる。
【００２６】
ハウジング４１へのシール部材の挿着に際しては、端子収容孔４２とその入口部４６のセンタに図８に示すようにずれがあっても、延伸部１３の存在のために十分に追従が可能で、シール本体１１は入口部４６のセンタに合わせて正しく位置決めされる。
【００２７】
図１７は変形例を示し、端子収容孔４２と入口部４６との距離が比較的長い場合には、接続端子３１の挿入によって延伸部１３が引き延ばされて、所定以上の長さになると延伸部１３が切断されるように、延伸部１３の適当な個所に切込部１５が形成されている。これにより、ハウジング４１への接続端子３１の挿着過程で延伸部１３が切断され、シール本体１１は必要以上に奥部に引き込まれることなく、入口部４６に留まることになる。
【実施例２】
【００２８】
図１８は実施例２のシール部材の平面図、図１９は側面図、図２０は正面図、図２１は縦断面図である。
【００２９】
この実施例２においては、シール本体６１の内外両面には防水部６２が形成され、シール部材６１に接する延伸部６３はほぼ円筒形とされ、抜止部６４に接する延伸部６３の部分は幅狭とされ、この中間部は徐々に円筒部から幅狭部に移行されている。
【００３０】
このように延伸部６３を形成することにより、シール部材の射出成型に際して、帯状のものよりも延伸部６３が切断されることが少なくなる。
【００３１】
また、延伸部は円筒状とし、所定以上の長さに延伸されると、切込部によって切断するようにしてもよい。なお、この場合には抜止部はフランジ状となる。
【図面の簡単な説明】
【００３２】
【図１】実施例１のシール部材の平面図である。
【図２】縦断面図である。
【図３】正面図である。
【図４】背面図である。
【図５】図３のＡ−Ａ線に沿った断面図である。
【図６】シール部材を電線に挿着した状態の側面図である。
【図７】接続端子に電線を接続した状態の側面図である。
【図８】ハウジングに接続端子を挿入した状態の断面図である。
【図９】ハウジングの背面図である。
【図１０】ハウジングにリアホルダを挿着した状態の断面図である。
【図１１】連結前のリアホルダの正面図である。
【図１２】平面図である。
【図１３】側面図である。
【図１４】リアホルダの突き合わせ面の正面図である。
【図１５】リアホルダの突き合わせ面の正面図である。
【図１６】リアホルダをハウジングに押し込んだ状態の断面図である。
【図１７】シール部材の変形例の縦断面図である。
【図１８】実施例２のシール部材の平面図である。
【図１９】側面図である。
【図２０】正面図である。
【図２１】縦断面図である。
【図２２】従来例のシール部材を使用した状態の断面図である。
【符号の説明】
【００３３】
１１、６１  シール本体
１２、６２  防水部
１３、６３  延伸部
１４、６４  抜止部
１５  切込部
２１  芯線
２２  電線
２３  被覆
３１  接続端子
３２  接続部
３３、３４  圧着部
４１  コネクタハウジング
４２  端子収容孔
４３  可撓係止片
４４  ハウジング本体
４５  フロントホルダ
４６  入口部
４７  端子挿通孔
４８  リアホルダ
４８ａ、４８ｂ  リアホルダ部材
５１  押込突起
【図１】
2006294417.tif 000003
【図２】
2006294417.tif 000004
【図３】
2006294417.tif 000005
【図４】
2006294417.tif 000006
【図５】
2006294417.tif 000007
【図６】
2006294417.tif 000008
【図７】
2006294417.tif 000009
【図８】
2006294417.tif 000010
【図９】
2006294417.tif 000011
【図１０】
2006294417.tif 000012
【図１１】
2006294417.tif 000013
【図１２】
2006294417.tif 000014
【図１３】
2006294417.tif 000015
【図１４】
2006294417.tif 000016
【図１５】
2006294417.tif 000017
【図１６】
2006294417.tif 000018
【図１７】
2006294417.tif 000019
【図１８】
2006294417.tif 000020
【図１９】
2006294417.tif 000021
【図２０】
2006294417.tif 000022
【図２１】
2006294417.tif 000023
【図２２】
2006294417.tif 000024